(57)【要約】  脂質ベースの粒子に結合するための疎水性アンカーと標的薬剤との間にキラル中心がない改良型リンカーが、生体内での使用に好適な疎水性／親水性の特性を有する。【特許請求の範囲】
【請求項１】
下記式
【化１】
2010507722.tif 000028
で表わされる化合物
[式中、各ｎは独立して１〜４であり、ｘは２０〜６０の整数であり、Ｚは＝ＮＨ又は＝Ｏであり、標的化剤は、分子の残部と結合するためのアミノ基又はヒドロキシル基を含有する部分であり、及び、アンカーは、前記化合物を脂質ベースの粒子中に包埋するための親油性部分である]。
【請求項２】
前記標的化剤がインテグリンを標的とする、請求項１に記載の化合物。
【請求項３】
前記標的化剤が抗体又はその免疫反応性断片であるか、又は、前記標的化剤が受容体のリガンドである、請求項１に記載の化合物。
【請求項４】
前記アンカーがホスファチジル脂質の残基である、請求項１に記載の化合物。
【請求項５】
前記アンカーがホスファチジルエタノールアミン基である、請求項４に記載の化合物。
【請求項６】
ｘが４０〜５０の整数である、請求項１に記載の化合物。
【請求項７】
多数の請求項１に記載の化合物の分子を含む、脂質ベースの粒子製剤。
【請求項８】
前記粒子が治療剤又は診断剤をさらに含んでなる、請求項７に記載の製剤。
【請求項９】
前記治療剤が医薬であり、及び／又は
前記診断剤がＭＲＩ造影用のキレート化金属であり、又は
前記治療剤若しくは診断剤が放射性核種である、請求項８に記載の粒子製剤。
【請求項１０】
前記脂質ベースの粒子が、リポソーム、ミセル、又は脂質／界面活性剤で被膜された液体フッ化炭素からなるコアを含有するナノ粒子である、請求項８に記載の粒子製剤。
【請求項１１】
前記脂質ベースの粒子が、脂質／界面活性剤で被膜された液体フッ化炭素からなるコアを含有するナノ粒子である、請求項１０に記載の粒子製剤。
【請求項１２】
対象における所望の目標箇所を標的化する方法であって、請求項８に記載の製剤を前記対象に投与することを含む方法。
【請求項１３】
対象における所望の目標箇所を標的化する方法における請求項８に記載の製剤の使用。
【発明の詳細な説明】
【技術分野】
【０００１】
関連出願の相互参照
本願は、２００６年１０月２４日出願の米国仮特許出願第６０／８５３，８２４号及び２００７年１０月１６日出願の米国特許出願第１１／８７２，９８４号の利益を主張するものであり、それらの内容は参照により本明細書に組み込まれる。
【０００２】
本発明は、標的化剤を脂質／界面活性剤ベースの組成物に固定化するための組成物及び方法に関する。一実施形態において、脂質／界面活性剤コーティング中に本発明の化合物を包埋することにより、脂質／界面活性剤層で覆われたフッ化炭素のナノ粒子は、標的化剤を用いて生体内の所望の目標箇所に標的化される。
【背景技術】
【０００３】
国際公開第２００３／０６２１９８号は、造影剤及び薬物担体であるインテグリン標的化ナノ粒子について記載しており、ここではペプチド模倣体に結合したリンカーが粒子を被膜する脂質／界面活性剤層に固定化されることによって、標的化部分が粒子と結合している。そのようなリンカーとしては、２つのキラル中心を有し、且つポリエチレングリコール（ＰＥＧ）部分を含む長鎖ポリアミドが挙げられている。リンカーはエタノールアミンの窒素とアミド結合することにより、ホスファチジルエタノールアミン（ＰＥ）と結合している。
【発明の概要】
【０００４】
本発明は、標的化剤を脂質／界面活性剤のアンカー部分に結合した改良型リンカーに関する。
【０００５】
本発明は、標的化剤をアンカー部分に結合する連結部分における改良に関する。本改良型リンカーは、ポリエチレングリコール（ＰＥＧ）のような親水性領域と、標的化剤に結合しているキラル中心のない伸張部とを有する。
従って、一態様において、本発明は式
【０００６】
【化１】
2010507722.tif 000002
で表わされる化合物に関し、
式中、各ｎは独立して１〜４であり、
ｘは２０〜６０の整数であり、
Ｚは＝ＮＨ又は＝Ｏであり、
フェニレンは必要に応じて、アルキル、アルケニル又はアルキニルによって置換されていてもよく、
標的化剤は、分子の残りの部分と結合するためのアミノ基又は水酸基を含有する部分であり、及び
アンカーは、化合物を脂質／界面活性剤ベースの粒子状組成物中に包埋するための親油性化合物であり、該アンカーも分子の残りの部分と結合するためのアミノ基又は水酸基を含有する。
【０００７】
他の態様において、本発明は、式（１）の化合物を含む標的化された脂質／界面活性剤ベースの粒子及び、対象に式（１）の化合物を含む粒子を含有する組成物を投与することによって、式（１）の化合物を含む粒子を生体内の目標箇所に送達する方法に関する。標的化された粒子はまた、治療剤及び／又は造影剤若しくは他の造影用部分を含んでいてもよい。粒子はさらに、生体内の標的とされる目標箇所に関連する病態を診断又は治療するための放射性同位元素を含有してもよい。
【発明を実施するための形態】
【０００８】
本発明は、標的化剤をアンカーに結合する、式（１）の化合物の構造を含むものとして示される改良型リンカーを提供する。本リンカーは、生体内投与に適するような特徴を有し、キラル中心がないことからより効率的な合成及び送達を行うことができる。リンカー中のフェニレンスルホニル基（好ましくはパラ異性体である）は、標的化剤中に含まれるアミノ基又は水酸基と直ちに反応するカップリング剤を使用することで得られ、−ＯＣＺ−基は、リンカーをアンカー中に含まれるアミノ基又は水酸基と結合させることで得られる。利用しやすいアンカーの１つは、ホスファチジルエタノールアミン（ＰＥ）、又はモノアシルグリセロール若しくは親油性を与えるのに適した長さの２つのアシル基を有するジアシルグリセロールである。典型的な鎖長は、１２〜２２個の炭素原子の範囲であり、鎖は飽和又は不飽和であってよい。ホスファチジルグリセロール、ホスファチジルイノシトールなどのホスファチジルエタノールアミン（ＰＥ）の類似体も使用することができるが、ホスファチジルエタノールアミン（ＰＥ）は一般的な天然物であり利用しやすい。その他、リンカーの残りの部分と結合するための水酸基又はアミノ基を含有するコレステロール及びコレステロールエステル又はその他の脂質相溶性の物質を含むことができる。
【０００９】
標的化剤は抗体又はその一部分、又はアプタマー、ペプチド模倣体、受容体リガンドなどであってもよい。「抗体」は、一本鎖抗体及びＦｖ断片などの免疫反応性断片及び誘導体を含む。本発明のいくつかの態様においては、αｖβ３などのインテグリンを標的とする標的化剤が特に有用である。これらは、ＲＧＤ配列を含有するペプチド、又は、例えば米国特許第６，１５３，６２８号；同第６，１３０，２３１号；若しくは同第６，３２２，７７０号に記載された模倣体を含んでいてもよく、ここで当該文献は全て、それらの好適な模倣体の開示について参照により本題に組み込まれる。
【００１０】
上述のとおり、式（１）で示されたフェニレン部分は好ましくは、スルホニル基についてパラ異性体であり、水酸基鎖の残りの部分と結合している。フェニレン部分は、１つ又は複数のアルキル基、アルキレン基、又はアルキニレン基によって置換されていてもよい。典型的には、アルキル基は１〜８個の炭素原子か、または１〜４個の炭素原子を含有し、かつ不飽和型における炭素数は、当然ながら、最低でも２個である。これらの基は、直鎖、分枝、及び環状並びにこれらの組み合わせを含む。典型的な基は、メチル基、エチル基、イソブチル基、シクロヘキシルメチル基、及びシクロペンチルメチル基などである。メチル基、エチル基若しくはプロピル基、又は対応する不飽和型のメチル基若しくはプロピル基などのより短い置換基が好ましい。
【００１１】
上述のポリエチレングリコール基は、２０〜６０個の単量体、好ましくは４０〜５０個の単量体を含有する。従って、ｘは、２０、３０、４０、５０若しくは６０又はその間の整数であり得る。
【００１２】
式（１）の化合物は典型的には、標的化剤を、アンカーからは遠位となる末端でリンカーの残りの部分の少なくとも一部分と結合しているベンゼンのスルホニルクロリド誘導体と結合させることによって作製することができる。リンカーそれ自体は、中間部分を、アンカーの誘導体化されたポリエチレングリコール誘導体と反応させることによって製造することができる。詳細な例示的説明は後述する。
特に好ましい本発明の化合物は、式（２）
【００１３】
【化２】
2010507722.tif 000003
で表わされる化合物である。
【００１４】
上述のとおり、本発明の化合物は、そのアンカー部分によって脂質ベースの粒子状担体と結合する。一実施形態において、アンカーは、フッ化炭素若しくは油又はその両方の適したナノ粒子化合物の脂質界面活性剤層中に包埋される。液体フッ化炭素脂質／界面活性剤で被覆されたナノ粒子に加え、アンカーを受け入れ得る脂質ベースの粒子状担体は、リポソーム、ミセル、及び油性乳剤を含む。こうした実施形態の本質は、当該技術分野において周知である。
【００１５】
従って、粒子状の脂質ベース搬送媒介物は、リポソーム、脂質ミセル、リポタンパク質ミセル、脂質安定化乳剤、及びフッ化炭素／油ナノ粒子などを含んでいてもよい。リポソームは、「Ｌｉｐｏｓｏｍｅｓ：Ｒａｔｉｏｎａｌ  Ｄｅｓｉｇｎ」（Ａ．Ｓ．ジャノフ編、マルセル・デッカー社、Ｎ．Ｙ．）に記載されるとおり、又は当業者に周知の別の技法によって調製することができる。リポソームは、「コレステロール欠損型」のものを含む。リポソームに関連して本明細書で使用される用語「コレステロール欠損型」は、コレステロールを使用しないか、リポソームの相転移特性を大きく変えるには不十分な量のコレステロール（典型的には２０ｍｏｌ％未満のコレステロール）を使用してリポソームが調製されたことを意味する。リポソームはまた治療効果を有する脂質を含んでもよく、当該脂質には、エーテル脂質、ホスファチジン酸、ホスホン酸塩、セラミド及びセラミド類似体、スフィンゴシン及びスフィンゴシン類似体並びにセリン含有脂質が含まれる。リポソームはまた、循環している時期を増加させるためポリエチレングリコール−ＤＳＰＥなどの表面を安定化させる親水性ポリマー−脂質複合体を使用して調製してもよい。ホスファチジルグリセロール（ＰＧ）及びホスファチジルイノシトール（ＰＩ）などの負に帯電した脂質もまた、担体の循環時間を延長させるためリポソーム製剤に添加してもよい。これらの脂質を表面安定化剤として親水性ポリマー−脂質コンジュゲート又はコレステロールの代わりに用いてもよい。本発明の実施形態においては、凝集を防止し、担体の血中滞留時間を延長させるためＰＧ又はＰＩを含有するコレステロール欠損型リポソームを利用してもよい。
【００１６】
ミセルは、両親媒性の脂質又はポリマー成分からなる自己組織化粒子であり、疎水性コアに存在する難溶性薬剤の送達に利用される。ミセル送達媒体の調製のための様々な手段が利用可能であり、当業者が容易に実施することができる。例えば、脂質ミセルは、パーキンズら、Ｉｎｔ．Ｊ．Ｐｈａｒｍ．（２０００年）２００（１）：２７−３９頁に記載されたとおりに調製してもよい。リポタンパク質ミセルは、低比重及び高比重リポタンパク質並びにカイロミクロンを含む天然又は人工のリポタンパク質から調製することができる。脂質安定化乳剤は、単層又は二重層の脂質などの乳化成分によって安定化された油充填コアを含むように調製されたミセルである。コアは、トリアシルグリセロール（トウモロコシ油）などの脂肪酸エステルを含んでいてもよい。単層又は二重層は、ＤＳＰＥ−ＰＥＧなどの親水性ポリマー脂質コンジュゲートを含んでいてもよい。こうした送達媒介物は、ポリマー脂質複合体の存在下で油をホモジナイズすることによって調製することができる。脂質安定化乳剤の中に組み込まれる薬剤は、一般に水溶性が低い。ステアリン酸エステル、又は、ポリ（エチレンオキシド）ブロック−ポリ（ヒドロキシエチル−Ｌ−アスパルタミド）及びポリ（エチレンオキシド）−ブロック−ポリ（ヒドロキシヘキシル−Ｌ−アスパルタミド）のミセルなどのリポタンパク質と同様の特性を呈する合成ポリマー類似体もまた、本発明の実施において用いることができる（ラバサニファーら、Ｊ．Ｂｉｏｍｅｄ．Ｍａｔｅｒ．Ｒｅｓ．（２０００年）５２：８３１−８３５頁）。
【００１７】
本発明において有用な、脂質／界面活性剤で被覆されたフッ化炭素コアを含有する好適なナノ粒子を調製する技法は、参照により本明細書に組み込まれる米国特許第７，１８６，３９９号及び同第６，６７６，９６３号に記載されている。
【００１８】
一例示的実施形態の乳剤を調製するための典型的な方法では、フッ化化合物溶液及び脂質／界面活性剤コーティング成分を水性媒質中で流動化させて乳剤を形成する。表面層の機能成分は元の乳剤が含んでいてもよく、又は後にナノ粒子乳剤を形成してから表面層と共有結合させてもよい。式（１）の化合物による標的化剤の粒子１個当たりの数は、典型的には数百個程度である。
【００１９】
適切に調製された脂質ベースの粒子は、補助的薬剤を含んでいてもよい。このような補助的薬剤は、治療剤、放射性核種、ＭＲＩ用の造影剤をもたらすキレート、又は標的に送る他の物質であり得る。一般に、補助的薬剤が存在する場合、粒子は多数の該薬剤をその外表面に含有するか又はその内部に含む。このような場合、脂質ベースの粒子は典型的には、数百個又は数千個の生物学的に活性な薬剤、放射性核種及び／又はＭＲＩ造影剤の分子を含有する。ＭＲＩ造影剤では、脂質ベースの粒子に結合すべき一構成物質の個数は、典型的には粒子１個当たり５，０００個を上回り、より好ましくは粒子１個当たり１０，０００個、さらにより好ましくは３０，０００個、及びさらにより好ましくは粒子１個当たり５０，０００〜１００，０００個以上である。蛍光色素分子、放射性核種、及び生物学的に活性な薬剤の個数は様々である。
【００２０】
脂質ベースの粒子は補助的薬剤を含有することを要するものではない。一般に、標的化リガンドと直接結合した標的化粒子は、それ自体が超音波造影剤として有用である。また、粒子がフッ化炭素コアを有する場合、上記の追加的な機能と共に１９Ｆ磁気共鳴画像法を用いて粒子の位置を追跡することができる。しかし、他の成分を複数包含することで、粒子は他の点で有用にもなる。例えば、常磁性イオンを含有するキレート剤を包含する場合、乳剤は磁気共鳴画像法の造影剤として使用することができる。生物学的に活性な物質を包含する場合、薬物送達系として使用することができる。放射性核種を包含すると、それらは放射線療法用の治療剤としても、又は造影用の診断剤としても有用になる。他の造影剤としては、フルオレセイン又はダンシルなどの蛍光色素分子が挙げられる。粒子状担体が造影剤を含んでいる場合、生物学的に活性な薬剤もまた含まれ得る。多数のかかる活性が含まれてもよく、従って、活性物質を標的組織に送達すると同時に標的組織の画像を得ることができる。
【００２１】
脂質／界面活性剤層を伴う粒子状担体を含有する乳剤は、その性質に応じた様々な方法により調製することができる。例示目的で用いられるに過ぎないが、一つの方法として、薬物を含有する乳剤について以下の方法が挙げられる：界面活性剤共混合物（２．０％ｗ／ｖ）及びグリセリン（１．７％ｗ／ｖ）を調製する。ここで界面活性剤共混合物は、クロロホルム中に溶解した６４モル％のレシチン（ファーマシア社）、３５モル％のコレステロール（シグマケミカル社）、及び１モル％の式（１）の化合物を含む。薬物はメタノール（〜２５μｇ／２０μｌ）中に懸濁させ、２％界面活性剤層に対する滴定量で０．０１〜５．０モル％、好ましくは０．２〜２．０モル％を添加する。クロロホルム−脂質混合物を減圧下で濃縮し、５０℃の真空オーブンで一晩乾燥させ、超音波処理によって水中に分散させる。懸濁液を蒸留水又は脱イオン水中のパーフルオロオクチルブロミド（ＰＦＯＢ）と共にブレンダーカップ（ダイナミックス・コーポレーション・オブ・アメリカ）に移し、３０〜６０秒間乳化させる。乳化させた混合物をマイクロフルイディクス乳化装置（マイクロフルイディクス社）に移し、２０，０００ＰＳＩで３分間、連続的に処理する。完成した乳剤をバイアルにとり、使用するまで窒素雰囲気とし、栓をしてクリンプシールで密封する。対照乳剤は、界面活性剤共混合物から薬物を除いて同じように調製することができる。粒度は、レーザー光散乱サブミクロン粒度分析器（Ｍａｌｖｅｒｎ  Ｚｅｔａｓｉｚｅｒ  ４、マルバーン・インストルメンツ社、マサチューセッツ州サウスボロウ）によって３７℃で３回測定し、平均直径が４００ｎｍ未満の密で高度に再現性のある粒度分布を確認する。組み込まれなかった薬物は、透析又は限外ろ過によって除去することができる。
【００２２】
或いは、乳剤は、ＭＲＩ用キレートである補助的薬剤が含まれる以下の例示的な方法によって調製してもよい。
【００２３】
所望のｐＨ範囲に適し、且つ乳剤の保存期間中ｐＨを維持するために十分な緩衝能を有するＥＤＴＡ塩（ＵＳＰ）を加え、続いてグリセリンを添加することによって緩衝水（ＷＦＩ）を調製する。緩衝水を混合タンクに加え、続いて式（１）の化合物、Ｇｄ−アミドキレート及び上記のＰＦＯＢと界面活性剤との混合物を加える。
【００２４】
混合物を周囲温度で高剪断ミキサに循環させた後、ｃＧＭＰ製造用として認可されているＭｕｅｌｌｅｒ製のタンクを備えたマイクロフルイダイザ（マイクロフルイディクス社）に連続的に循環させて、動作圧を１５，０００ｐｓｉに維持する。プロセス流の温度は、プロセス流体熱交換器に接続した加熱／冷却循環機によって制御される。温度はインラインで監視する。
【００２５】
得られた乳剤のｐＨを計測してからバイアルに充填する。清浄な血清バイアルに管理された容量（重量基準）まで充填し、ヘッドスペースを不活性ガスで押し出した後、栓をしてキャップを取り付ける。
【００２６】
最終滅菌は、ｃＧＭＰ合成用として認可されているオートクレーブを用いて清浄な蒸気により１２１℃で行われる。
【００２７】
所望の到達部位に標的化されたこれらの粒子状送達媒介物は、超音波造影用、ＭＲＩ造影用、薬物送達用、放射性核種を用いる診断及び／又は治療用の造影剤として使用することができる。粒子状送達媒介物は一般に乳剤の形態で供給され、組織の造影及び／又は薬物送達を含む本発明の方法において有用である。
【００２８】
キット
本発明の乳剤は、本発明の方法において直接調製及び使用してもよく、又は乳剤の成分がキットの形態で供給されてもよい。キットは、全ての所望の補助的物質を緩衝液中に又は凍結乾燥の状態で含有する予め調製された標的化組成物を含んでいてもよい。或いはキットは、別個に供給される、標的リガンドを含まない乳剤を含んでいてもよい。これらの場合、典型的には乳剤はマレイミド基などの反応基をリンカーのうちアンカーの遠位にある末端に有し、それにより乳剤が標的化剤と混合された時に、乳剤自体と標的化剤とを結合させる。結合を生じさせるのに有用な追加的な試薬を別個の容器として提供してもよい。或いは、別個に供給される、反応基を有する所望の成分に結合したリンカーと結合する反応基を乳剤が有していてもよい。適したキットを作成するための、様々な手法を想定することができる。従って、最終的な乳剤を構成する個々の成分は個別の容器で供給されてもよく、又はキットは単に、キットそれ自体とは別個に提供される他の材料と組み合わせるための試薬を含むだけでもよい。
【００２９】
網羅するものではないが組み合わせとしては、蛍光色素分子又はキレート剤などの補助成分とアンカーの遠位にあるリンカー末端で標的化剤に結合するための反応部分を脂質−界面活性剤層中に有する乳剤調製物；逆に、乳剤が標的化剤と結合した式（１）の化合物を有し、且つ補助的物質と結合する反応基を有する；式（１）の化合物及びキレート剤の双方を含有する乳剤だが、但しキレート化されるべき金属はキットで供給されるか、又は使用者によって個別に提供されるかのいずれかであるものを挙げることができる。
【００３０】
利用
乳剤及びその調製用キットは、高発現レベルの標的を含有する組織の造影、及び、かかる発現レベルの組織が望ましくない場合はその治療を含む、本発明の方法において有用である。
【００３１】
診断用放射性医薬品が、通常生理食塩水で懸濁された乳剤として、静脈注射によって投与される場合、体重７０ｋｇ当たり１〜１００ｍＣｉの用量、又は好ましくは５〜５０ｍＣｉの用量で投与される。造影は公知の方法によって行う。
【００３２】
治療用放射性医薬品が、通常生理食塩水で懸濁された乳剤として、静脈注射によって投与される場合、体重１ｋｇ当たり０．０１〜５ｍＣｉの用量、又は好ましくは体重１ｋｇ当たり０．１〜４ｍＣｉの用量で投与される。現在の臨床では、同等の治療用放射性医薬品について、Ｚｅｖａｌｉｎ（商標）の０．３〜０．４ｍＣｉ／ｋｇから、標識化ソマトスタチンペプチドであるＯｃｔｒｅｏＴｈｅｒ（商標）の１〜２ｍＣｉ／ｋｇまでの範囲の投与量を設定している。このような治療用放射性医薬品については、腫瘍細胞死滅と、それに対する正常臓器毒性、特に放射線腎炎との間で均衡がとられている。前記レベルでは、均衡は一般に、腫瘍細胞への効果が優先されている。これらの投与量は、対応する造影用の同位元素の場合よりも多い。
【００３３】
磁気共鳴画像法の造影剤は、米国特許第５，１５５，２１５号；米国特許第５，０８７，４４０号；マーゲルシュタットら、Ｍａｇｎ．Ｒｅｓｏｎ．Ｍｅｄ．（１９８６年）３：８０８頁；ルンゲら、Ｒａｄｉｏｌｏｇｙ（１９８８年）１６６：８３５頁；及びブスケットら、Ｒａｄｉｏｌｏｇｙ（１９８８年）１６６：６９３頁に記載されているような他のＭＲＩ剤と同様の方法で使用することができる。使用できる他の薬剤としては、米国特許出願公開第２００２／０１２７１８２号に記載された、ｐＨ感受性で、パルスに応じてコントラスト特性が変化し得るものである。一般に、造影剤の滅菌水溶液は、患者に対し体重１ｋｇ当たり０．０１〜１．０ミリモルの範囲の投与量で静脈内投与される。
【００３４】
ＭＲＩキレート剤の特に好ましいセットは、１，４，７，１０−テトラアザシクロドデカン−１，４，７，１０−四酢酸（ＤＯＴＡ）及びその誘導体を含み、特に、その後ホスファチジルエタノールアミンのアミノ基又はそのペプチド誘導体と結合可能な、イソチオシアネート官能基を含むメトキシベンジル誘導体（ＤＯＴＡ−ＮＣＳ）を含む。このタイプの誘導体は、参照により本明細書に援用される米国特許第５，５７３，７５２号明細書に記載される。他の好適なキレート剤は、同様に参照により本明細書に組み込まれる米国特許第６，０５６，９３９号に開示されている。
【００３５】
ＤＯＴＡイソシアネート誘導体はまた、脂質／界面活性剤に直接、又はペプチドスペーサーを介して結合させることができる。ｇｌｙ−ｇｌｙ−ｇｌｙをスペーサーとして使用する場合を、以下の反応スキームに示す。直接的な結合の場合、ＤＯＴＡ−ＮＣＳを単にＰＥと反応させるだけで、結合した生成物を得ることができる。ペプチド、例えばトリグリシル結合の場合、ホスホエタノールアミン（ＰＥ）はまず初めに、ｔ−ｂｏｃ保護トリグリシンと結合する。標準的なカップリング法、例えば、ジイソプロピルカルボジイミド（又はその等価物）をＮ−ヒドロキシスクシンイミド（ＮＨＳ）又はヒドロキシベンゾトリアゾール（ＨＢＴ）のいずれかと共に用いてｔ−ｂｏｃ−トリグリシンの遊離酸の活性化エステルを形成させる方法を用い、ｔ−ｂｏｃ−トリグリシン−ＰＥを精製する。
【００３６】
ｔ−ｂｏｃ−トリグリシン−ＰＥをトリフルオロ酢酸により処理するとトリグリシン−ＰＥが生じ、次にこれをＤＭＦ／ＣＨＣｌ３中５０℃で過剰量のＤＯＴＡ−ＮＣＳと反応させる。最終生成物は溶媒を除去することによって単離され、続いて残留固形物を過剰量の水で洗浄し、過剰な溶媒及び未反応の、又は加水分解されたＤＯＴＡ−ＮＣＳを全て除去する。
【実施例】
【００３７】
以下の実施例は本発明の例示を意図しており、限定を意図するものではない。
実施例１
式（２）の化合物の調製
【００３８】
【化３】
2010507722.tif 000004
【００３９】
以下のスキームは、合成方法の全体像を示す：
αｖβ３標的化リガンド中間体１２の合成経路：
【００４０】
【化４】
2010507722.tif 000005
【００４１】
αｖβ３標的化リガンド中間体２２の合成経路：
【００４２】
【化５】
2010507722.tif 000006
【００４３】
αｖβ３標的化リガンド２９の合成経路：
【００４４】
【化６】
2010507722.tif 000007
【００４５】
さらに詳細には、ステップは以下のとおり行われる。
【００４６】
【化７】
2010507722.tif 000008
【００４７】
２−［（ジメチルアミノ）メチレン］アミノイミダゾール（２）：
２−アミノイミダゾールヘミスルフェート（化合物１、３０ｇ、２２７ｍｍｏｌ）（アルドリッチ）を水（２１６ｍＬ）に溶解し、炭酸ナトリウム（２４．１ｇ、２２７ｍｍｏｌ）を添加した。溶液を室温で１５分間撹拌した。水を真空中で除去し、残留物を無水エタノール（８５ｍＬ）中で粉砕し、混合物をろ過して溶媒を真空中で除去した。残留物を直ちに使用した。
【００４８】
粗製２−アミノイミダゾール（１８．２ｇ）にジメチルホルムアミドジメチルアセタール（１４５ｍＬ）（アルドリッチ）を添加し、室温で一晩撹拌した。試薬を真空中で除去して粗製の２（３２．６６ｇ）を得、これをそれ以上精製することなく、次のステップ（トリチル化）で用いた。
生成物Ｉ．Ｄ．：１Ｈ  ＮＭＲ、ＦＴ−ＩＲ、ＬＣ／ＭＳ
【００４９】
【化８】
2010507722.tif 000009
【００５０】
１−トリチル−２−［（ジメチルアミノ）メチレン］アミノイミダゾール（３）：
粗製２−［（ジメチルアミノ）メチレン］アミノイミダゾール（２）に塩化メチレン（７５０ｍＬ）、トリエチルアミン（９８ｍＬ、７００ｍｍｏｌ）及び塩化トリチル（６２．９８ｇ、２２６ｍｍｏｌ）（アルドリッチ）を添加した。反応混合物を室温で３時間撹拌した。溶媒を真空中で除去し、粗製の化合物３をメタノールから結晶化させた。
【００５１】
粗製の化合物３を熱メタノール（４５０ｍＬ）から再結晶化させて溶液を室温まで放冷させ、淡黄色の固体として純生成物（化合物３）を得た。これをろ過し、１００ｍＬのＭＴＢＥで洗浄して真空下で１時間乾燥させた（３７グラム）。
【００５２】
母液を濃縮し、精製された化合物３を加え撹拌し、２回目の回収物として７．６４ｇの化合物３を単離した。合計収率は４４．６４ｇ（５２％、２ステップ）であった。
プロセス中のアッセイ：ＨＰＬＣ
生成物Ｉ．Ｄ．：１Ｈ  ＮＭＲ、ＦＴ−ＩＲ、ＬＣ／ＭＳ
【００５３】
【化９】
2010507722.tif 000010
【００５４】
１−トリチル−２−アミノイミダゾール（４）：
化合物３（４４．６４ｇ、１１７ｍｍｏｌ）に、試薬級エタノール（１２００ｍＬ）、氷酢酸（２０．６５ｍＬ）及びヒドラジン（２６ｍＬ）を添加した。反応混合物を５０℃で５時間撹拌した。溶媒を除去し、粗生成物に塩化メチレン（１，５００ｍｌ）及び１Ｎの水酸化ナトリウム（６７ｍｌ）を室温で１５分間撹拌しながら添加した。得られた２つの層を分離して有機層をブライン（２×３００ｍＬ）で洗浄し、無水硫酸ナトリウムで乾燥させてろ過し、溶媒を真空中で除去して、１−トリチル−２−アミノイミダゾール、化合物４（３７．２ｇ、９７％）を得た。融点１９６〜１９９℃。
プロセス中のアッセイ：ＨＰＬＣ
生成物Ｉ．Ｄ．：１Ｈ  ＮＭＲ、ＦＴ−ＩＲ及びＬＣ／ＭＳ
【００５５】
【化１０】
2010507722.tif 000011
【００５６】
ジエチル（（（３−（１，３−ジオキソラン−２−イル）フェニル）アミノ）メチレン）マロネート（７）：
化合物５（アルファ・エイサー）と化合物６（アルドリッチ）との混合物を、ディーンスタークトラップが取り付けられた１００ｍＬの一口丸底フラスコ中で１１５℃まで一晩加熱し、その後室温まで放冷した。回転蒸発（１時間／４０℃）により残留エタノールのほとんどを除去した。生成物７（２０．３０ｇ、定量的収率）は濃厚な油であり、これは時間が経ったり、フリーザーに入れたり、又は乳鉢で激しく破砕したりすることで凝固する。分析（１Ｈ  ＮＭＲ）により、そのまま次のステップで使用するために十分純度が高いことが確認される。
プロセス中のアッセイ：ＨＰＬＣ
生成物Ｉ．Ｄ．：１Ｈ  ＮＭＲ
【００５７】
【化１１】
2010507722.tif 000012
【００５８】
エチル７−（１，３−ジオキソラン−２−イル）−４−オキソ−１，４−ジヒドロキノリン−３−カルボキシレート（８）：
化合物７を、１Ｌの三口丸底フラスコ中の２５０℃に予熱された３００ｍＬのジフェニルエーテル（アルドリッチ）に添加した。温度を少しの間（１〜２分間）約２４０℃まで下げ、その後２５７℃まで上げて２５５〜２６０℃で１５分間維持し、色が暗くなること、エタノール蒸気の発生を確認した。室温に冷却すると、いくらかの沈殿物が分離したが、混合物は極めて濃かった。混合物をヘキサンで１：４希釈し、さらに沈殿物を分離した。沈殿物をろ過し、ヘキサンで３回洗浄して乾燥させ、１９．０２ｇの生成物８（８４％）を得た。分析（１Ｈ  ＮＭＲ）により、この生成物の純度がそのまま次のステップで使用するのに十分な高さであることが示された。
プロセス中のアッセイ：ＨＰＬＣ
生成物Ｉ．Ｄ．：１Ｈ  ＮＭＲ、ＦＴ−ＩＲ、ＬＣ／ＭＳ
【００５９】
【化１２】
2010507722.tif 000013
【００６０】
エチル７−（１，３−ジオキソラン−２−イル）−１−メチル−４−オキソ−１，４−ジヒドロキノリン−３−カルボキシレート（９）：
化合物８を、５００ｍＬの一口丸底フラスコ中の無水ＤＭＦ（アルドリッチ）に溶解した。無水炭酸カリウム（ＥＭサイエンス）を添加し、混合物を１５分間撹拌した。ヨードメタン（アルドリッチ）を添加した後、混合物を室温で一晩撹拌し、その後濃縮してＣＨ２Ｃｌ２と含水チオ硫酸ナトリウムとに分離した。ＣＨ２Ｃｌ２層をブラインで洗浄し、無水硫酸ナトリウムで乾燥させ、ろ過して濃縮し、１９．３０ｇの粗製物９（褐色様の固体）を得た。１Ｈ  ＮＭＲスペクトルは十分なものであったが、ＴＬＣ（ＭｅＯＨ：ＤＣＭ  １：９）は、少量のより極性の低い不純物と、いくらかの極性の高い不純物（おそらくは大部分が無機物）を示した。ＴＨＦ／水又はＣＨ２Ｃｌ２／ヘキサンからの再沈殿により精製しようとしたが、不十分であった。シリカゲルプラグ（勾配はＣＨ２Ｃｌ２中１〜２〜４〜６〜１０％メタノール）でのクロマトグラフィーによって精製された生成物（１７．９３ｇ、収率９５％）を得た。
プロセス中のアッセイ：ＨＰＬＣ
生成物Ｉ．Ｄ．：１Ｈ  ＮＭＲ、ＦＴ−ＩＲ、ＬＣ／ＭＳ
【００６１】
【化１３】
2010507722.tif 000014
【００６２】
エチル７−ホルミル−１−メチル−４−オキソ−１，４−ジヒドロキノリン−３−カルボキシレート（１０）：
化合物９を１Ｌの一口丸底フラスコ中でアセトン（ＥＭＣＯ）に６０℃で溶解した。予め洗浄したアンバーライトＩＲ−１２０樹脂（アルドリッチ）を水と共に添加し、混合物を６０℃で４０分間撹拌し、２０分（ＭＣＬＳ０９９５−０７８−１）及び４０分の時点で一定量を取り出した。取り出した部分のＨＰＬＣ分析から、アルデヒドの脱保護が２０分で完了していたことが明らかとなった。混合物を熱浴槽から取り出してろ過し、初期量の約４０％になるまで回転蒸発下で濃縮した（アセトンの除去）。得られた含水懸濁液をＣＨ２Ｃｌ２と飽和含水重炭酸ナトリウムで分離した。水層を２×ＣＨ２Ｃｌ２で抽出した。集めた有機層をブラインで洗浄し、無水硫酸ナトリウムで乾燥させ、ろ過して濃縮し、生成物１０（４．２０ｇ、収率８１％）を得た。
プロセス中のアッセイ：ＨＰＬＣ
生成物Ｉ．Ｄ．：１Ｈ  ＮＭＲ、ＦＴ−ＩＲ、ＬＣ／ＭＳ
【００６３】
【化１４】
2010507722.tif 000015
【００６４】
【化１５】
2010507722.tif 000016
【００６５】
エチル７−（１−（トリフェニルメチル−１Ｈ−イミダゾール−２−イルアミノ）メチル）−１−メチル−４−オキソ−１，４−ジヒドロキノリン−３−カルボキシレート（１１）：
トルエン中の化合物４及び化合物１０を、復水器及びディーンスタークトラップが取り付けられた１Ｌの一口丸底フラスコ中、窒素下１１０℃で一晩撹拌した。室温に冷却した後、中間体であるイミン（１１）を含有する混合物を濃縮し、分析した（１Ｈ  ＮＭＲ、ＦＴ−ＩＲ、ＵＶ）。
【００６６】
混合物を２５０ｍＬのＣＨ２Ｃｌ２に再溶解した。トリアセトキシ水素化ホウ素ナトリウム（６等量）（アルドリッチ）を添加し、得られた混合物を室温で一晩撹拌した。一定量を取り出し、以下のとおり処理した：溶媒を蒸発させ；残留物を酢酸エチル（ＥＡ）と含水炭酸カリウム／ブライン混合物で分離した。水層をＥＡで再抽出した。集めたＥＡ層をブラインで洗浄し、無水硫酸ナトリウムで乾燥させ、ろ過して濃縮し、化合物１２を得た。分析結果（ＨＮＭＲ；その他：ＩＲ、ＵＶ）から、還元の完了を確認した。１Ｈ  ＮＭＲがいくらかのＡｃＯＨの痕跡を示すため、水層のｐＨを再び確認すると、約５〜６であることが分かった（ＡｃＯＨ／ＡｃＯ−対の緩衝作用を上回るために、より多くの過剰カーボネートが必要であったかもしれない）。
【００６７】
混合物のバルクを、確実に塩基性ｐＨ（８〜９）とするのに十分な炭酸カリウム溶液を用いる点を変更したうえで前記取り出した場合と同様に処理した。この際、分離はより困難であり、さらに時間が必要であった。
【００６８】
粗混合物をシリカゲル（ＣＨ２Ｃｌ２中１〜１０％勾配のメタノール）のクロマトグラフィーにかけた。画分７〜１０が生成物を含有していた（１２、５ｇ、収率６７．１％）。
プロセス中のアッセイ：ＨＰＬＣ
生成物Ｉ．Ｄ．：１Ｈ  ＮＭＲ、１３Ｃ  ＮＭＲ、ＦＴ−ＩＲ、ＬＣ／ＭＳ、残留溶媒分析、元素分析、乾燥減量
この中間体について作成されたＣｏｆＡ
【００６９】
【化１６】
2010507722.tif 000017
【００７０】
７−（１−（トリフェニルメチル−１Ｈ−イミダゾール−２−イルアミノ）メチル）−１−メチル−４−オキソ−１，４−ジヒドロキノリン−３−カルボン酸（１３）：
化合物１２をＴＨＦに溶解した。含水ＬｉＯＨを添加し、混合物を室温で３時間撹拌し、その後水で希釈して、ＴＨＦが除去されるまで（起泡及び沈殿物の出現）濃縮し、ＨＣｌでｐＨ４まで酸性化させた（激しい起泡；より多くの沈殿物）。沈殿物を分離し、水で洗浄して乾燥させ、化合物１３（生成物、３．４０ｇ、ＨＰＬＣ、ＬＣ−ＭＳによって純度９６．５％、収率８１．７％）を得た。１Ｈ  ＮＭＲ分析から、遊離アミン型より、過度にプロトン化された種であるＴｒ−Ｉｍ−Ｎ（Ｈ２）＋−ＣＨ２−Ａｒとの整合性が高い。元素分析から、アミン部位のいくつかにおける塩化アルキルアンモニウム塩の部分的な形成が確認される。（材料はステップ１７でそのまま使用した）
プロセス中のアッセイ：ＨＰＬＣ
生成物Ｉ．Ｄ．：１Ｈ  ＮＭＲ、ＦＴ−ＩＲ、ＬＣ／ＭＳ
【００７１】
【化１７】
2010507722.tif 000018
【００７２】
３，５−ジメチルフェノキシブタン酸（１７）：
５００ｍＬの三口フラスコに化合物１４及びＮａＯＨを窒素パージ下で充填した。機械で撹拌しながら混合物を加熱してフェノールを融解させ、次に１００ｍＬのＤＭＳＯを添加した。溶液を１２５℃に加熱し、次に１００℃に冷却した。１００℃で化合物１５（アルドリッチ）を３分間かけて添加し（８℃の発熱）、次に温度を３０分間で１２５℃まで上昇させた。反応物を９０℃まで放冷し、１００ｍＬのＨ２Ｏを添加した。混合物を６０℃まで放冷し、１８ｍＬの５０％ＮａＯＨ（含水）を７０℃まで発熱させながら添加し、その温度で反応物を１５分間保持した。反応物を４０℃に冷却し、２５０ｍＬの水を添加した後、ｐＨが８に達するまで濃ＨＣｌを添加した。反応物を周囲温度まで冷却し、次に４×５０ｍＬのＭＴＢＥで抽出した。濃ＨＣｌ（約２０ｍＬ）を用いて水層を結晶化が始まるｐＨ１まで酸性化させた。
【００７３】
ろ過によって固体を回収し、その固体を１０ｍＬのシクロヘキサンで洗浄した。次に残留物を８０ｍＬのシクロヘキサンから再結晶化させた。回収された生成物を１５ｍＬのシクロヘキサンで洗浄し、真空オーブン中３０℃で乾燥させ、２６．３ｇの化合物１７（ＨＰＬＣで純度９９．７％が６２％）を得た。
プロセス中のアッセイ：ＨＰＬＣ
生成物Ｉ．Ｄ．：１Ｈ  ＮＭＲ、ＦＴ−ＩＲ、ＬＣ／ＭＳ
【００７４】
【化１８】
2010507722.tif 000019
【００７５】
４−（クロロスルホニル）−３，５−ジメチルフェノキシブタン酸（１８）：
５００ｍＬの三口フラスコに、３，５−ジメチルフェノキシブタン酸（１７）（２５ｇ、１２０ｍｍｏｌ）及びＣＨ２Ｃｌ２（１００ｍＬ）を充填した。この溶液を機械により撹拌しながら−２７℃まで冷却し、次にクロロスルホン酸（４２ｇ、３６０ｍｍｏｌ）を３０分間かけて滴下により添加した（温度は最高で−２０℃に達した）。材料をさらに１時間、−２５℃で撹拌し、次にＮａＨＣＯ３（２０ｇ、２３８ｍｍｏｌ）を反応混合物に添加した。次に反応混合物を１５０ｇの氷に添加した。次に反応混合物をＥｔＯＡｃ（７５０ｍＬ）で抽出し、Ｎａ２ＳＯ４（１０ｇ）で乾燥させてろ過し、次に真空中で濃縮した。粗生成物を５℃で２回、ＭＴＢＥと共に（５０ｍＬ、次に２５ｍＬ）粉砕し、２０．０ｇの化合物１８（収率５４％）を得た。
プロセス中のアッセイ：ＨＰＬＣ
生成物Ｉ．Ｄ．：１Ｈ  ＮＭＲ、ＦＴ−ＩＲ、ＬＣ／ＭＳ
【００７６】
【化１９】
2010507722.tif 000020
【００７７】
４−（４−（（（２−（（ｔｅｒｔ−ブトキシ）カルボニルアミノ）−１−（メトキシカルボニル）エチル）アミノ）スルホニル）−３，５−ジメチルフェノキシ）ブタン酸（２０）：
４−（クロロスルホニル）−３，５−ジメチルフェノキシブタン酸、化合物１８（２．５０ｇ、８．１ｍｍｏｌ）のジオキサン（６０．０ｇ）溶液を、室温で水（２０．０ｇ）中のＨ−Ｄａｐ（Ｂｏｃ）−ＯＭｅ・ＨＣｌ（化合物１９）（１．６６ｇ、６．５ｍｍｏｌ）（バケム社）とＮａＨＣＯ３（８．２１ｇ、９７．７ｍｍｏｌ）の混合物に約４５分間の時間をかけて滴下により加えた。添加完了２時間後、反応混合物を真空中で濃縮し、次に水及びクエン酸（１２．５０ｇ、１０．０等量）を添加した。粗生成物をＥｔＯＡｃで抽出し、ＥｔＯＡｃ層を水で１回洗浄した。ＥｔＯＡｃ層を濃縮し、２．７５ｇの化合物２０（化合物１９を基準として収率８７％、化合物１８を基準として収率６９％）を得た。
【００７８】
スケールアップの改良
１４０ｍＬのジオキサン／２８ｍＬのＨ２Ｏ中のＨ−Ｄａｐ（Ｂｏｃ）−ＯＭｅ・ＨＣｌ（化合物１９）（８．０ｇ、３１．４ｍｍｏｌ）とＮａＨＣＯ３（３８．６ｇ、４６０ｍｍｏｌ）とのスラリーを氷浴で５℃まで冷却した。このスラリーに、４−（クロロスルホニル）−３，５−ジメチルフェノキシブタン酸、化合物１８（１４．０ｇ、４６ｍｍｏｌ）のジオキサン（１４０ｍＬ）溶液を、７５分間の時間をかけて滴下により加えた。さらに２時間後、反応混合物をろ過し、ろ液を真空中で濃縮した。残留物に水を添加し（総量４２０ｍＬ）、次にこれを７５ｍＬのＭＴＢＥで抽出した。水相を３ＮのＨＣｌ（含水）を用いて酸性（ｐＨ＝４）にし、次にＥｔＯＡｃ（３００ｍＬ）で抽出した。ＥｔＯＡｃ抽出物をＮａ２ＳＯ４で乾燥させ、ろ過して真空中で濃縮し、１０．２ｇの所望の生成物２０（２０．９ｍｍｏｌ、化合物１９を基準として６６．５％、化合物１８を基準として４５％）が残った。
プロセス中のアッセイ：ＨＰＬＣ
生成物Ｉ．Ｄ．：１Ｈ  ＮＭＲ、ＦＴ−ＩＲ、ＬＣ／ＭＳ、旋光度、キラルＨＰＬＣ
【００７９】
【化２０】
2010507722.tif 000021
【００８０】
メチル（２Ｓ）−３−［（ｔｅｒｔ−ブトキシ）カルボニルアミノ］−２−［（｛２，６−ジメチル−４−［３−（Ｎ−｛２−［（フェニルメトキシ）カルボニルアミノ］エチル｝カルバモイル）プロポキシ］フェニル｝スルホニル）アミノ］プロパノエート（２２）：
氷水浴で冷却したＣＨ２Ｃｌ２（１５０ｍＬ）に溶解させた前記反応物からの粗フェノキシブタン酸（化合物２０）（２．７５ｇ）溶液に、４−メチルモルホリン（０．８９ｇ、８．８ｍｍｏｌ）を加え、次にトリメチルアセチルクロリド（１．０６ｇ、８．８ｍｍｏｌ）を添加した。反応混合物を室温まで温めた。１時間後、反応混合物を真空中で濃縮し、ＤＭＦ（１００ｍＬ）を添加して、さらにこれを真空中で除去した（反応しなかった一切のトリメチルアセチルクロリド（沸点１０５〜１０６℃）を除去するため）。粗生成物をＣＨ２Ｃｌ２（１５０ｍＬ）中に再溶解し、ＤＭＦ中のベンジルＮ−（２−アミノエチル）カルバメートヒドロクロリド、化合物２１（１．５２ｇ、６．６ｍｍｏｌ）及び４−メチルモルホリン（１．１１ｇ、１１．０ｍｍｏｌ）の溶液を加えた。１時間後、反応混合物を真空中で濃縮し、ＥｔＯＡｃと水で分離した。層の分離後、ＥｔＯＡｃ溶液を希ＮａＨＣＯ３及び水で洗浄した。ＥｔＯＡｃ溶液を真空中で濃縮し、粗生成物を得た。この物質をクロマトグラフィー（９７：３  ＥｔＯＡｃ／ＭｅＯＨ）により精製し、２．８０ｇの生成物２２を得た。
【００８１】
この物質にエーテルを添加し、油を結晶化させた。得られた固体をろ過し、２．４４ｇの精製された化合物２２を得た（６５．５％）。
【００８２】
より大きいスケールで用いられる代替的方法
化合物２０（８．２０ｇ、１６．８ｍｍｏｌ）をＤＭＦ（７０ｍＬ、３Ａ分子篩で乾燥）に溶解した。ジイソプロピルエチルアミン（８．６８ｇ、６７．１ｍｍｏｌ）を添加し、混合物を窒素下で撹拌した。混合物を冷水浴中で冷却し、次にＨＢＴＵ、Ｏ−ベンゾトリアゾール−１−イル−Ｎ，Ｎ，Ｎ’，Ｎ’−テトラメチルウロニウムヘキサフルオロホスファート（７．６４ｇ、２０．１ｍｍｏｌ）を１７℃未満の温度で少しずつ添加した。混合物をさらに２０分間撹拌した。ＤＭＦ（２１ｍＬ、３Ａ分子篩で乾燥）中のベンジルＮ−（２−アミノエチル）カルバメートヒドロクロリド、化合物２１（４．６５ｇ、２０．１ｍｍｏｌ）の溶液を１７℃未満の温度で滴下により添加した。溶液をさらに３０分間撹拌し、周囲温度まで温めた。次に反応溶液を６０℃、１０ｍｂａｒで蒸発させた。これにより、３３．８ｇの残留物を得た。この残留物をジクロロメタン（１２０ｍＬ）に溶解した。混合物を０．１ＭのＨＣｌ（含水）各２０ｍＬで２回洗浄した。次に混合物を１０％ＮａＨＣＯ３各２０ｍＬで３回洗浄した。５０℃、１０ｍｂａｒで蒸発させ、１３．８ｇの残留物を得た。
【００８３】
残留物を塩化メチレン（１５ｍＬ）に溶解し、シリカゲル６０（１００ｇ、粒径０．０１５〜０．０４０ｍｍ、メルク社）に通してろ過した。ドライカラムバキュームクロマトグラフィーを使用した。純粋酢酸エチルから混合酢酸エチルに、５％メタノールを少量ずつ増やした溶離液でシリカを溶出させた。各５０ｍｌの分量であった。画分７〜１１はＴＬＣ分析から純粋であると判断されたため、これらを合わせた。蒸発させ、６．３ｇの起泡性油を得た。これは冷却すると凝固した（５６％）。ＨＰＬＣ２５４ｎｍで純度９７．７％であった。
プロセス中のアッセイ：ＨＰＬＣ
生成物Ｉ．Ｄ．：１Ｈ  ＮＭＲ、１３Ｃ  ＮＭＲ、ＦＴ−ＩＲ、ＬＣ／ＭＳ、残留溶媒分析、元素分析、乾燥減量、旋光度
この中間体について作成されたＣｏｆＡ
【００８４】
【化２１】
2010507722.tif 000022
【００８５】
メチル（２Ｓ）−３−アミノ−２−［（｛２，６−ジメチル−４−［３−（Ｎ−｛２−［（フェニルメトキシ）カルボニルアミノ］エチル｝カルバモイル）プロポキシ］フェニル｝スルホニル）アミノ］プロパノエートトリフルオロアセテート（２３）：
化合物２２をＣＨ２Ｃｌ２：トリフルオロ酢酸に溶解し、室温、窒素下で３０分間撹拌し、その後濃縮して６のＣＨ２Ｃｌ２を蒸発させ、高真空下で乾燥させて、化合物２３（薄黄色の油、３．１４ｇ）を得た。これはそのままステップ１７で使用した。
プロセス中のアッセイ：ＨＰＬＣ
生成物Ｉ．Ｄ．：１Ｈ  ＮＭＲ、ＬＣ／ＭＳ、旋光度
【００８６】
【化２２】
2010507722.tif 000023
【００８７】
手順：
ガラス器具を１１０℃のオーブンで乾燥させて、加熱、窒素下で組み立てた。
窒素雰囲気下、磁気攪拌した、無水Ｎ−メチルピロリジノン（５０ｍＬ）中のジイソプロピルエチルアミン（１６．５ｍＬ；９４．７ｍｍｏｌ）中の酸性のスラリー１３（５．１５ｇ；９．５ｍｍｏｌ）をＯ−ベンゾトリアゾール−１−イル−Ｎ，Ｎ−Ｎ’，Ｎ’−テトラメチルウロニウムテトラフルオロボレート（３．６５ｇ；１１．４ｍｍｏｌ）の１分量で処理し、続いて無水ＮＭＰ（１５ｍＬ）で処理した。スラリーを窒素下、周囲温度（２５℃）で１５分間撹拌した。無水ＮＭＰ（１００ｍＬ）中、いくらかの残留トリフルオロ酢酸（計算上、約２１．９ｍｍｏｌ）を含有したアミン２３（８．９ｇ；７２％アッセイ；９．５ｍｍｏｌ）の粗トリフルオロ酢酸塩の溶液を６２分間かけて滴下により添加した。このとき温度が２５℃から２８℃に上昇する少しの発熱を伴った。添加用漏斗を無水ＮＭＰ（１０ｍＬ）で洗浄し、反応混合物に添加した。透明で明るい琥珀色の溶液を周囲温度、窒素下（３：５５ｐｍ）で一晩撹拌した。ｐＨ紙を反応混合物に浸漬し、次に水に浸漬すると、ｐＨ≧８を示した。
【００８８】
室温、窒素下で１６時間後、反応混合物の一定量（３滴）を１０ｍＬの５０％含水アセトニトリルで希釈した。ＬＣ／ＭＳから、１０８７．４ｍ／ｚにおけるＭ＋１イオンを示す所望の生成物を確認した。出発アミン２３はＬＣ−ＭＳトレースでは検出されず、２〜３の未知の不純物が検出された。透明で明るい琥珀色の溶液に添加用漏斗を加え、窒素下で保置した。この溶液を、１Ｍの含水ＨＣｌ（３０ｍＬ；３０ｍｍｏｌ）を含有する磁気撹拌した水（１，４００ｍＬ）中に４５分間の時間をかけて滴下により添加した。水溶液のｐＨをｐＨ電極でモニタし、１Ｍの含水ＨＣｌ（２８．５ｍＬ；２８．５ｍｍｏｌ）を一定間隔で添加してｐＨを３〜３．５に保った。最終ｐＨは３．１であった。得られたクリーム状スラリーを焼結漏斗で吸引ろ過した。時々、漏斗の焼結表面をスパチュラで擦り付けてろ過を促進し、湿ったクリーム状の固体を得た。この固体を十分に洗浄し、バキュームなしにスパチュラを用いて漏斗中で水（２００ｍＬ×５）と混合した。
【００８９】
数回の洗浄後、ろ過は比較的行い易くなり、ケーキは水中によく懸濁した。ケーキを最終的に上記のとおり水（２００ｍＬ×３）で洗浄してＮＭＰを除去した。ケーキをフィルターで吸引乾燥させ、次に自由流動するクリーム状固体として蒸発皿に移した；２５．９ｇ。固体を真空オーブン中４５℃（１１：４０ａｍ）で５時間乾燥させ、ほぼ乾燥したクリーム状固体を得た；９．７５ｇ。この物質を一晩、加熱なしに乾燥させた。
量＝９．６ｇ。≧９４％  アッセイでほんの痕跡量の不純物。
収率＝９２．９％
【００９０】
【化２３】
2010507722.tif 000024
【００９１】
手順：
２．５ＬのＰａｒｒボトル中、Ｄｅｇｕｓｓａ  Ｅ１０１  ＮＥ／Ｗ  １０％パラジウム炭素（２．０ｇ）を含有する９０５ｍＬメタノール中のＮ−カルボベンゾキシ中間体２４（９．０５ｇ；８．３ｍｍｏｌ）の溶液を水素で６回、加圧及び減圧して、大きいＰａｒｒシェーカーの残留空気を除去した。ボトルを水素で４４．５ｐｓｉｇに加圧し、Ｐａｒｒ水素化反応器で振盪した。
【００９２】
水素圧力下で２０．５時間後、一定量（０．３ｍＬ）を１５ｍＬの３３％含水アセトニトリルに溶解し、Ｗｈａｔｍａｎ  ｍｉｎｉ−ｕｎｉｐｒｅｐ（０．４５μＰＦＴＥフィルター）でろ過した。ＬＣ／ＭＳ分析から所望の生成物を確認し、検出可能な出発物質は確認されなかった。触媒スラリーを、上面に１枚のフィルター紙を備え、事前に湿潤させて固めたセリット５４５のパッド（４１．２ｇ）を通じて吸引ろ過した。触媒及びセリットパッドをメタノール（１００ｍＬ×３）で洗浄した。淡黄色のろ液をロータリーエバポレータにより３５℃で濃縮し、ベージュ色の固体を得た；８．２ｇ。この固体を真空デシケータ中、室温、０．１５ｔｏｒｒで一晩、乾燥させた。
量＝７．７５ｇ。≧９４％  ＤＡＤによるアッセイ。
収率＝９７．３％
【００９３】
【化２４】
2010507722.tif 000025
【００９４】
手順：
化合物２５、２１０ｍｇ（０．２２ｍｍｏｌ）を６ｍＬの５：１（ｖ：ｖ）ＴＨＦ／Ｈ２Ｏに溶解した。この溶液に２００μＬの３Ｎ  ＬｉＯＨ（含水）を添加し、得られた２相系をアルゴン下、周囲温度で３．５時間撹拌した。３．５時間後、反応混合物のｐＨを１Ｎ  ＨＣｌ（含水）を用いて約６に調整した。反応混合物をアルゴンでパージすることによってＴＨＦを除去し、白色のスラリーを得た（真空中で除去しようとすると、激しく起泡した）。このスラリーに５ｍＬのＨ２Ｏを添加し、得られたスラリーを、高純度焼結ガラス漏斗を通じてろ過した（緩速ろ過）。固体を１０ｍＬのＨ２Ｏで洗浄して空気乾燥させ、１３４ｍｇ（０．１４ｍｍｏｌ、６５％）の化合物２６が得られた。
【００９５】
【化２５】
2010507722.tif 000026
【００９６】
手順：
化合物２６（１３２ｍｇ、０．１４ｍｍｏｌ）を５ｍＬのＴＦＡ（シグマ−アルドリッチ）に溶解した。この溶液に、アルゴン下、０．５ｍＬのＥｔ３ＳｉＨ（アルファ・エイサー）を添加した。反応混合物をアルゴン下１時間、７０℃に加熱した。次に反応物を周囲温度まで放冷した（反応物から白色固体の沈殿物）。粗反応混合物を０．４５ミクロンのシリンジフィルタを通じてろ過した。ろ液に２５ｍＬのＣＨ２Ｃｌ２を添加し、得られた溶液を真空中３５℃で濃縮した。得られた油に２回目の２５ｍＬのＣＨ２Ｃｌ２を添加し、この溶液を真空中３５℃で濃縮した。残留物に２５ｍＬのヘキサンを添加し、４０℃に加温し、得られた液体層をデカンテーションして取り除き、残留物が残った。２回目の２５ｍＬのヘキサンを添加し、上記の手順を繰り返した。残った残留物を真空中４０℃で乾燥させ、１１７ｍｇの化合物２７（ｂｉｓ−ＴＦＡ塩としての生成物を基準に９０％）を得た。
【００９７】
【化２６】
2010507722.tif 000027
【００９８】
１００ｍＬのＲＢフラスコに、０．５０８ｇの化合物２８（８４％純度を基準として０．１４４ｍｍｏｌ）、ｂｉｓ−ＴＦＡ塩として１４２ｍｇの化合物２７（０．１５４ｍｍｏｌ）、３ｍＬの無水ＤＭＦ及び最後に６０μＬのｉ−Ｐｒ２ＮＥｔを充填した。均質な反応物を周囲条件で４８時間撹拌した。粗反応物を真空中４５℃で濃縮した。
【００９９】
残留物を、以下のとおりの段階的な勾配を用いて２５ｇのシリカゲルクロマトグラフィーにかけた。
１）ＣＨＣｌ３：ＭｅＯＨ  ３：１（ｖ：ｖ）−３カラム容量
２）ＣＨＣｌ３：ＭｅＯＨ：Ｈ２Ｏ  ７５：２４：１（ｖ：ｖ：ｖ）−４カラム容量
３）ＣＨＣｌ３：ＭｅＯＨ：Ｈ２Ｏ  ７５：２３：２（ｖ：ｖ：ｖ）−４カラム容量
４）ＣＨＣｌ３：ＭｅＯＨ：Ｈ２Ｏ  ７５：２２：３（ｖ：ｖ：ｖ）−４カラム容量
【０１００】
所望の生成物を最終勾配の画分から回収した。化合物２９を含有する画分を濃縮し、透明でガラス質の固体を得た。これを５０：５０のＣＨ３ＣＮ：Ｈ２Ｏに溶解し、等容量のＨ２Ｏで希釈し、次に凍結乾燥させ、スポンジ状の白色固体を得た（１４５．５ｍｇ、２８．５％）。
【手続補正書】
【提出日】平成21年6月16日(2009.6.16)
【手続補正１】
【補正対象書類名】特許請求の範囲
【補正対象項目名】全文
【補正方法】変更
【補正の内容】
【特許請求の範囲】
【請求項１】
下記式
【化１】
2010507722.tif 000029
で表わされる化合物
[式中、各ｎは独立して１〜４であり、ｘは２０〜６０の整数であり、Ｚは＝ＮＨ又は＝Ｏであり、標的化剤は、分子の残部と結合するためのアミノ基又はヒドロキシル基を含有する部分であり、及び、アンカーは、前記化合物を脂質ベースの粒子中に包埋するための親油性部分である]。
【請求項２】
前記標的化剤が抗体若しくはその免疫反応性断片であり、又は、受容体のリガンドであり、あるいは、前記標的化剤がインテグリンを標的とする、請求項１に記載の化合物。
【請求項３】
前記アンカーがホスファチジル脂質の残基である、請求項１又は請求項２に記載の化合物。
【請求項４】
ｘが４０〜５０の整数である、請求項１〜請求項３のいずれか１項に記載の化合物。
【請求項５】
複数の請求項１〜請求項４のいずれか１項に記載の化合物の分子を含む、脂質ベースの粒子製剤。
【請求項６】
前記粒子が治療剤又は診断剤をさらに含んでなる、請求項５に記載の製剤。
【請求項７】
前記治療剤が医薬であり、及び／又は
前記診断剤がＭＲＩ造影用のキレート化金属であり、又は
前記治療剤若しくは診断剤が放射性核種である、請求項６に記載の粒子製剤。
【請求項８】
前記脂質ベースの粒子が、リポソーム、ミセル、又は脂質／界面活性剤で被膜された液体フッ化炭素からなるコアを含有するナノ粒子である、請求項５〜請求項７のいずれか１項に記載の粒子製剤。
【請求項９】
前記脂質ベースの粒子が、脂質／界面活性剤で被膜された液体フッ化炭素からなるコアを含有するナノ粒子である、請求項８に記載の粒子製剤。
【請求項１０】
対象中の所望の目標箇所に標的化させる方法における請求項５〜９のいずれか１項に記載の製剤の使用。
【国際調査報告】
2010507722.tif 000030
2010507722.tif 000031